(57)【要約】【課題】  別体の香り発生装置を装着することなく、所望の香りを発生させることができる移動体通信端末を提供する。【解決手段】  香り物質を保持した香り物質保持部材を収容し、且つその香り物質保持部材に保持された香り物質が外気に発散するための開口を有する香り物質保持部材収容部を設ける。この香り物質保持部材収容部は、音声入力部と音声出力部との間に設けるのが好ましい。上記香り物質保持部材収容部の開口は、液体状の香り物質を補充するときの液滴が通過し得る程度の径を有する補充用開口と、この補充用開口の径よりも狭い幅を有し液補充用開口から延びたスリット状開口とにより構成してもよい。【選択図】  図１
2005328305.tif 000002
【特許請求の範囲】
【請求項１】
通信ネットワークを介して通信可能な移動体通信端末であって、
香り物質を保持した香り物質保持部材を収容し且つ該香り物質保持部材に保持された香り物質が外気に発散するための開口を有する香り物質保持部材収容部を設けたことを特徴とする移動体通信端末。
【請求項２】
請求項１の移動体通信端末において、
音声入力部及び音声出力部を備え、
上記香り物質保持部材収容部を、該音声入力部と該音声出力部との間に設けたことを特徴とする移動体通信端末。
【請求項３】
請求項１又は２の移動体通信端末において、
上記香り物質保持部材収容部の開口を、液体状の香り物質を補充するときの液滴が通過し得る程度の径を有する補充用開口と、該補充用開口の径よりも狭い幅を有し該液補充用開口から延びたスリット状開口とにより構成したことを特徴とする移動体通信端末。
【請求項４】
請求項１又は２の移動体通信端末において、
上記香り物質保持部材収容部は、上記香り物質保持部材が通過し得る程度の開口を有し且つ該香り物質保持部材の厚さと同程度の深さを有する凹部形状であり、
該香り物質保持部材収容部の底部に対して該香り物質保持部材を着脱可能に構成したことを特徴とする移動体通信端末。
【請求項５】
請求項１乃至４のいずれかの移動体通信端末において、
第１の筺体部分と第２の筺体部分とを有し、第１の筺体部分の表面部及び２の筺体部分の表面部が互いに近接対向する閉状態と、各筐体部分の表面部が露出する開状態とを取り得るように構成し、
上記第１の筺体部分及び第２の筺体部分のいずれか一方の筐体部分の表面部に、上記香り物質保持部材収容部を設け、他方の筐体部分に、上記閉状態のときに上記香り物質保持部材収容部の開口を密閉する密閉部を設けたことを特徴とする移動体通信端末。
【発明の詳細な説明】
【技術分野】
【０００１】
本発明は、通信ネットワークを介して通信可能な携帯電話機等の移動体通信端末に関するものである。
【背景技術】
【０００２】
従来、この種の移動体通信端末として、外付けの香り発生装置をコネクタを介して装着した携帯電話機が知られている（特許文献１参照）。この移動体通信端末（携帯電話機）に取り付けられる香り発生装置は、送風ポンプと香り源タンクとを有している。香り源タンクは複数個の独立した空間ぞれぞれに別々の香り源が入っている。この送風ポンプから各空間に送風する空気を制御することにより、各空間の香り源からの香りを選択的に外部に流出させ、所望の香りを発生させることができる。
【特許文献１】特開２００３−３１０７４０号公報
【発明の開示】
【発明が解決しようとする課題】
【０００３】
しかしながら、上記従来の移動体通信端末では、その端末とは別体の香り発生装置を装着する必要があるという問題点があった。
【０００４】
本発明は以上の問題点に鑑みなされたものであり、その目的は、移動体通信端末とは別体の香り発生装置を装着することなく、所望の香りを発生させることができる移動体通信端末を提供することである。
【課題を解決するための手段】
【０００５】
上記目的を達成するために、請求項１の発明は、通信ネットワークを介して通信可能な移動体通信端末であって、香り物質を保持した香り物質保持部材を収容し且つ該香り物質保持部材に保持された香り物質が外気に発散するための開口を有する香り物質保持部材収容部を設けたことを特徴とするものである。
また、請求項２の発明は、請求項１の移動体通信端末において、音声入力部及び音声出力部を備え、上記香り物質保持部材収容部を、該音声入力部と該音声出力部との間に設けたことを特徴とするものである。
また、請求項３の発明は、請求項１又は２の移動体通信端末において、上記香り物質保持部材収容部の開口を、液体状の香り物質を補充するときの液滴が通過し得る程度の径を有する補充用開口と、該補充用開口の径よりも狭い幅を有し該液補充用開口から延びたスリット状開口とにより構成したことを特徴とするものである。
また、請求項４の発明は、請求項１又は２の移動体通信端末において、上記香り物質保持部材収容部は、上記香り物質保持部材が通過し得る程度の開口を有し且つ該香り物質保持部材の厚さと同程度の深さを有する凹部形状であり、該香り物質保持部材収容部の底部に対して該香り物質保持部材を着脱可能に構成したことを特徴とするものである。
また、請求項５の発明は、請求項１乃至４のいずれかの移動体通信端末において、第１の筺体部分と第２の筺体部分とを有し、第１の筺体部分の表面部及び２の筺体部分の表面部が互いに近接対向する閉状態と、各筐体部分の表面部が露出する開状態とを取り得るように構成し、上記第１の筺体部分及び第２の筺体部分のいずれか一方の筐体部分の表面部に、上記香り物質保持部材収容部を設け、他方の筐体部分に、上記閉状態のときに上記香り物質保持部材収容部の開口を密閉する密閉部を設けたことを特徴とするものである。
【０００６】
請求項１の移動体通信端末では、香り物質保持部材収容部に、所望の香り物質を保持する香り物質保持部材を収容しておく。この香り物質保持部材収容部の開口から、香り物質保持部材に保持されている香り物質が外気に発散することにより、移動体通信端末の周辺に所望の香りが発生する。このように香り物質保持部材収容部から香りが発生するため、移動体通信端末とは別体になっている香り発生装置をその端末に装着する必要がない。
請求項２の移動体通信端末では、利用者の耳に対応する位置に音声出力部があり、利用者の口に対応する位置に音声入力部がある。この音声出力部と音声入力部との間に香り物質保持部材収容部を設けることにより、香り物質保持部材収容部の香りが発散する開口と、利用者の香りを感じる鼻とを近づけることができる。
請求項３の移動体通信端末では、香り物質保持部材収容部の補充用開口上に香り物質の液滴を落すと、その液滴が補充用開口を通過して香り物質保持部材に保持される。香り物質保持部材に保持された香り物質は、上記補充用開口と、その補充用開口から延びたスリット状開口とを通して外気に発散する。このスリット状開口の幅は、補充用開口の径よりも狭いので、香り物質保持部材に保持された香り物質が過剰に発散するのを抑制することができる。
請求項４の移動体通信端末では、凹部形状の香り物質保持部材収容部に収容している香り物質保持部材を交換するとき、香り物質保持部材収容部の底部に貼り付けている香り物質保持部材を取り外し、新しい香り物質保持部材を装着する。この香り物質保持部材収容部の深さは香り物質保持部材の厚さと同程度であるため、香り物質保持部材収容部に貼り付けた香り物質保持部材の表面と、その香り物質保持部材収容部の周辺の表面との段差がなくなる。
請求項５の移動体通信端末では、第１の筺体部分及び第２の筐体部分のいずれか一方の筐体部分の表面部が露出する開状態にして利用者が操作するときに、その一方の筐体部分にある香り物質保持部材収容部の開口から香り物質が発散する。一方、第１の筺体部分の表面部及び第２の筺体部分の表面部が近接対向する閉状態にして利用者の操作を止めるときには、上記他方の筺体部分に設けた密閉部が、香り物質保持部材収容部の開口を密閉することにより、その開口から香りが発散しない。
【０００７】
なお、上記「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone Service）、自動車電話機等の通話機能を有する電話機が挙げられる。また、この「移動体通信端末」としては、上記電話機のほか、通話機能を有するＰＤＡ（Personal Digital Assistance）等の通信端末も挙げられる。
【発明の効果】
【０００８】
請求項１乃至５の発明によれば、移動体通信端末とは別体の香り発生装置を装着することなく、香り物質保持部材収容部の開口から所望の香り物質を発散させ、移動体通信端末の周辺に所望の香りを発生させることができるという効果がある。
特に、請求項２の発明によれば、香り物質保持部材収容部の香りが発散する開口と、利用者の香りを感じる鼻とを近づけることができるので、利用者が感じる香りを効率的に発生させることができるという効果がある。
特に、請求項３の発明によれば、香り物質保持部材収容部の補充用開口上に香り物質の液滴を落すという簡単な作業で香り物質を補充できるとともに、香り物質の無駄な発散による消費を防止できるという効果がある。
特に、請求項４の発明によれば、凹部形状の香り物質保持部材収容部に収容している香り物質保持部材を交換するという簡単な作業で、香り物質保持部材収容部から発生する香りの種類を変えることができる。しかも、香り物質保持部材収容部に貼り付けた香り物質保持部材の表面と、その香り物質保持部材収容部の周辺の表面との段差がほとんどなく、外観を損なうことがないという効果がある。
特に、請求項５の発明によれば、利用者が操作するときには、第１の筐体部分及び第２の筐体のいずれか一方の筐体部分に設けた香り物質保持部材収容部の開口から香り物質を発散させて香りを発生させることができる。そして、利用者の操作を止めるときには、他方の筺体部分に設けた密閉部で香り物質保持部材収容部の開口を密閉することにより、無駄な香りの発散を防止できるという効果がある。
【発明を実施するための最良の形態】
【０００９】
以下、本発明を移動体通信端末としての携帯電話機に適用した実施形態について説明する。
〔実施形態１〕
図１は本発明の第１の実施形態に係る携帯電話機の外観構成を示す正面図である。図２は、その携帯電話機２０のハードウェア構成を示す概略構成図である。
本実施形態の携帯電話機２０は、クラムシェル（折り畳み）タイプの携帯電話機である。この携帯電話機２０の筐体は、第１の筺体部分としての本体部２０１と、第２の筺体部分としての蓋部２０２とにより構成されている。本体部２０１及び蓋部２０２は、ヒンジ部２００を中心にして互いに揺動可能に構成されている。この本体部２０１及び蓋部２０２の揺動による相対移動により、携帯電話機２０は閉状態と開状態とを取り得る。この閉状態は、本体部２０１の表面部と蓋部２０２の表面部とが互いに近接対向し本体部２０１の表面部が蓋部２０２の表面部で覆われた状態である。一方、開状態は、本体部２０１の表面部及び蓋部２０２の表面部がそれぞれ露出した状態である。
この携帯電話機２０の蓋部２０２の表面部には、所望の香りを発生するための香り物質保持部材収容部３０が設けられている。この香り物質保持部材収容部３０については後で詳述する。
【００１０】
携帯電話機２０は、システムバス２１０、ＣＰＵ２１１、ＲＡＭ２１２やＲＯＭ２１３等からなるデータ記憶手段、入力装置２１４、出力装置２１５及び携帯電話用通信装置２１６を備えている。ＣＰＵ２１１やＲＡＭ２１２等の構成要素は、システムバス２１０を介して、互いに各種データや後述のプログラムの命令等のやり取りを行っている。
上記入力装置２１４は、本体部２０１に設けられ、データ入力キー（テンキー、＊キー、＃キー）２１、通話開始キー２２、終話キー２３、スクロールキー２４、多機能キー２５、音声入力部としてのマイク２６等で構成されている。この入力装置２１４は、が通話相手先の電話番号を入力したり、通話の開始や終了を指示したりするときに操作される。また、入力装置２１４は、利用者がメールの文字データを入力したり、メール送信を指示したり、各種メニュー画面上で特定のメニューを選択したりするときに操作される。
上記出力装置２１５は、蓋部２０２に設けられ、表示手段である液晶ディスプレイ（ＬＣＤ）２７、音声出力部としてのスピーカ２８等で構成されている。この出力装置２１５は、携帯電話通信網を介して他の携帯電話機の利用者との間で通話しているときに、その通話の音声をスピーカ２８から出力する。また、出力装置２１５は、携帯電話通信網を介して受信したＷｅｂページ画面を液晶ディスプレイ（ＬＣＤ）２７に表示したり、携帯電話通信網から情報を着信した旨を画像や音で利用者に報知する。
上記携帯電話用通信装置２１６は、アンテナ２９、図示しない無線通信部などで構成され、携帯電話通信網を介して他の携帯電話機との間で通話をするための通信を行う。また、携帯電話用通信装置２１６は、他の携帯電話機とメールのやり取りを行ったり、携帯電話通信網からゲートウェイサーバを介してインターネット等の外部の通信ネットワークに接続し、インターネット上での電子メールのやり取り等を行ったりするための通信も行う。更に、携帯電話用通信装置２１６は、携帯電話通信網を介して、ダウンロードサーバが提供するアプリケーションプログラムをダウンロードしたり、現在位置の位置情報を含む配信情報を受信したりするための通信も行う。
【００１１】
図３は、本実施形態の携帯電話機２０の蓋部２０２に設けた香り物質保持部材収容部３０の断面図である。この香り物質保持部材収容部３０は、携帯電話機２０の表面部の音声入力部としてのマイク２６と音声出力部としてのスピーカ２８との間に位置し、開口３２、３３を介して外気に連通した空洞部３１で構成されている。この空洞部３１には、香り物質を保持した香り物質保持部材３４が収容されている。香り物質保持部材３４に保持された香り物質は、開口３２、３３を介して外気に発散する。
【００１２】
香り物質保持部材３４に保持される香り物質としては、液体及び固体のいずれでもよく、香水、香料、芳香剤等を用いることができる。この香り物質は、利用者の好みに応じて選択される。
本実施形態では、液体状の香り物質を用いており、この液体状の香り物質を吸収して保持することができる不織布やスポンジ材などからなる香り物質保持部材３４を用いている。なお、香り物質が固体の場合は、例えば、香り物質そのものを所定形状のブロックに成形した香り物質保持部材３４や、粉末状の香り物質を他の成型用の材料に混合してブロック状に成形した香り物質保持部材３４を用いる。
【００１３】
図４は、香り物質保持部材収容部３０の開口の部分斜視図である。香り物質保持部材収容部３０の開口は、補充用開口３２とスリット状開口３３とにより構成されている。補充用開口３２は、円形であり、スポイトなどの補充部材５０から液体状の香り物質を補充するときの液滴５１が通過し得る程度の径φｈを有する。すなわち、この補充用開口３２の径φｈは、香り物質の液滴５１の水平方向の最大径φｄと同程度か、もしくは、その香り物質の液滴５１の最大径φｄよりも大きい。また、スリット状開口３３は、補充用開口３２の径φｈよりも狭い幅Ｗｓを有し、液補充用開口３２から延びたスリット形状をした開口である。
スポイトなどの補充部材５０の先端から補充されて鉛直方向下方（図中矢印Ａ方向）に落下する液体状の香り物質の液滴５１は、補充用開口３２を通過して空洞部３１内の香り物質保持部材３４に吸収される。
【００１４】
上記構成の携帯電話機２０を開状態にして利用者が使用するとき、香り物質保持部材収容部３０の香り物質保持部材３４に保持されている液体状の香り物質が気化し、図３中の矢印で示すように補充用開口３２及びスリット状開口３３から発散する。このように香り物質保持部材収容部３０の開口３２，３３から気化した香り物質を発散させることにより、利用者の好みに合った香りを発生させることができる。
【００１５】
以上、本実施形態によれば、携帯電話機２０とは別体の香り発生装置を装着することなく、筐体の蓋部２０２の表面部に形成した香り物質保持部材収容部３０の開口３２，３３から所望の香り物質を発散させ、携帯電話機２０の周辺に所望の香りを発生させることができる。
また、本実施形態によれば、香り物質保持部材収容部３０をマイク２６とスピーカ２８との間に設けることにより、香り物質保持部材収容部３０の香りが発散する開口３２，３３と、利用者の香りを感じる鼻とを近づけることができる。従って、利用者が感じる香りを効率的に発生させることができる。
また、本実施形態によれば、香り物質保持部材収容部３０の補充用開口３２上に香り物質の液滴５１を落すという簡単な作業で香り物質を補充できる。しかも、補充用開口３２以外の部分の開口が、補充用開口３２の径φｈよりも狭い幅Ｗｓを有し且つ液補充用開口３２から延びたスリット形状をしたスリット状開口３３であるので、香り物質の無駄な発散による消費を防止できる。
【００１６】
なお、上記第１の実施形態の携帯電話機２０において、本体部２０１に、上記閉状態のときに香り物質保持部材収容部３０の開口３２，３３を密閉する密閉部を設けてもよい。
図５は、上記密閉部を備えた携帯電話機２０の外観構成を示す正面図である。この携帯電話機２０は、本体部２０１の表面部であって上記閉状態のときに香り物質保持部材収容部３０の開口３２，３３に対向する位置に、台形（バンプ形状）の密閉部４０が形成されている。この密閉部４０は、蓋部２０２の開口３２，３３が形成されている表面部との密着性を確保するとともに該表面部との接触時の損傷を回避するために弾性材料で形成するのが好ましい。
【００１７】
この密閉部４０を有する携帯電話機２０の操作を行わないときには、図６に示すように、本体部２０１の各種キーやマイク２６を有する表面部及び蓋部２０２のディスプレイ２７やスピーカ２８を有する表面部が互いに近接対向する閉状態にする。この閉状態にあるときには、図７に示すように、本体部２０１の密閉部４０の突出している面が、蓋部２０２の開口３２，３３が形成されている表面部に密着し、開口３２，３３を閉じる。これにより、香り物質保持部材収容部３０の空洞部３１が密閉され、香り物質の無駄な発散を防止し、香り物質保持部材収容部３０内の香り物質保持部材３４に保持されている液体状香り物質の寿命が長くなる。
【００１８】
〔実施形態２〕
図８は本発明の第２の実施形態に係る携帯電話機の外観構成を示す正面図である。また、図９は、携帯電話機２０の蓋部２０２に設けた香り物質保持部材収容部３０の断面図である。この携帯電話機２０のハードウェア構成等は、上記第１の実施形態の携帯電話機と同様であり、それら共通部分の説明は省略する。
【００１９】
本実施形態の携帯電話機２０は、上記スリット形状の開口を有する空洞型の香り物質保持部材収容部３０ではなく、香り物質保持部材３６と同じ程度の平面サイズの開口を有する凹部形状のオープンタイプの香り物質保持部材収容部３０を備えている。
この香り物質保持部材収容部３０は、シールパッド状の香り物質保持部材３６が通過し得る程度の開口を有する凹部３５で構成されている。この凹部３５は、香り物質保持部材３６の厚さＴと同程度の深さＤを有する凹部形状をしている。そして、この香り物質保持部材収容部３０の凹部３５の底部に対して、香り物質保持部材３６を着脱することができる。
【００２０】
図１０は、上記シールパッド状の香り物質保持部材３６の断面図である。この香り物質保持部材３６は、液体の通過を阻止可能なベース層３６０と、ベース層３６０の下面側の接着層３６１と、ベース層３６０上面側の液保持層３６２とを用いて構成されている。接着層３６１は、上記凹部３５の底面に対して着脱が可能な程度の粘着性を有する材料で形成されており、例えば両面テープを用いることができる。液保持層３６２としては不織布やスポンジ材などを用いることができる。なお、接着層３６１が耐液性を有している場合は、ベース層３６０を設けなくてもよい。また、微小カギ状フックが多数並んだフック面部材と微小ループが多数並んだループ面部材の２つの部材からなる面ファスナー部材の一方の部材を上記凹部３５の底面側に設け、他方の部材を液保持層側に設けるようにシールパッド状の香り物質保持部材３６を形成してもよい。
【００２１】
上記シールパッド状の香り物質保持部材３６を交換するときは、図１１に示すように香り物質保持部材３６の端部３６ａを矢印Ｂに示すように上方に持ち上げていき、香り物質保持部材３６を凹部３５から取り外す。そして、香り物質を保持した新しい香り物質保持部材３６を凹部３５に取り付ける。香り物質を保持していない香り物質保持部材３６を取り付けた場合や、香り物質を補充する場合は、図１２に示すように、スポイトなどの補充部材５０から液体状の香り部材の液滴５１を、矢印Ａに示すように香り物質保持部材３６上に落下させ。凹部３５内の香り物質保持部材３４に吸収させる。
【００２２】
特に、第２の実施形態によれば、凹部形状の香り物質保持部材収容部３０に収容しているシールパッド状の香り物質保持部材３６を交換するという簡単な作業で、香り物質保持部材収容部３０から発生する香りの種類を変えることができる。しかも、香り物質保持部材収容部３０に取り付けた香り物質保持部材３６の表面と、その香り物質保持部材収容部３０の周辺の筺体の表面との段差がほとんどなく、外観を損なうことがない。
【００２３】
なお、第２の実施形態の携帯電話機２０においても、図１３に示すように、本体部２０１に、上記閉状態のときに香り物質保持部材収容部３０の凹部３５の開口を密閉する密閉部４０を設けてもよい。
この密閉部４０を有する携帯電話機２０の操作を行わないときには、前出の図６に示すように、本体部２０１の各種キーやマイク２６を有する表面部及び蓋部２０２のディスプレイ２７やスピーカ２８を有する表面部が互いに近接対向する閉状態にする。この閉状態にあるときには、図１４に示すように、本体部２０１の密閉部４０の突出している面が、蓋部２０２の凹部３５の開口が形成されている表面部に密着し、その開口を閉じる。これにより、香り物質保持部材収容部３０の凹部３５が密閉され、香り物質の無駄な発散を防止し、香り物質保持部材収容部３０内の香り物質保持部材３６に保持されている液体状香り物質の寿命が長くなる。
【００２４】
なお、上記各実施形態では、クラムシェル（折り畳み）タイプの携帯電話機の蓋部２０２側に香り物質保持部材収容部３０を設けた場合について説明したが、本発明は、本体部２０１側に香り物質保持部材収容部３０を設けた場合にも同様に適用でき、同様な効果が得られるものである。この場合は、蓋部２０２側に、上記密閉部４０を設けるのが好ましい。
また、上記各実施形態では、クラムシェル（折り畳み）タイプの携帯電話機の場合について説明したが、本発明は、他の形状の携帯電話機や、ＰＨＳ（Personal Handyphone System）、自動車電話機等の他の移動体通信端末の場合についても適用でき、同様な効果が得られるものである。
【図面の簡単な説明】
【００２５】
【図１】本発明の第１の実施形態に係る携帯電話機の外観構成を示す正面図。
【図２】同携帯電話機のハードウェア構成を示す概略構成図。
【図３】同携帯電話機の蓋部に設けた香り物質保持部材収容部の断面図。
【図４】同香り物質保持部材収容部の開口の部分斜視図。
【図５】第１の実施形態の変形例に係る携帯電話機の外観構成を示す正面図。
【図６】閉状態の携帯電話機の側面図。
【図７】同携帯電話機の香り物質保持部材収容部周辺の部分断面図。
【図８】本発明の第２の実施形態に係る携帯電話機の外観構成を示す正面図。
【図９】同携帯電話機の蓋部に設けた香り物質保持部材収容部の断面図。
【図１０】同香り物質保持部材収容部に装着可能な香り物質保持部材の断面図。
【図１１】香り物質保持部材を取り外している香り物質保持部材収容部の斜視図。
【図１２】香り物質を補充している香り物質保持部材収容部の斜視図。
【図１３】第２の実施形態の変形例に係る携帯電話機の外観構成を示す正面図。
【図１４】同携帯電話機の香り物質保持部材収容部周辺の部分断面図。
【符号の説明】
【００２６】
２０    携帯電話機
２６    マイク
２８    スピーカ
３０    香り物質保持部材収容部
３１    空洞部
３２    補充用開口
３３    スリット状開口
３４    香り物質保持部材
３５    凹部
３６    香り物質保持部材
４０    密着部
５０    補充部材
５１    液滴
２００  ヒンジ部
２０１  本体部
２０２  蓋部
【図１】
2005328305.tif 000003
【図２】
2005328305.tif 000004
【図３】
2005328305.tif 000005
【図４】
2005328305.tif 000006
【図５】
2005328305.tif 000007
【図６】
2005328305.tif 000008
【図７】
2005328305.tif 000009
【図８】
2005328305.tif 000010
【図９】
2005328305.tif 000011
【図１０】
2005328305.tif 000012
【図１１】
2005328305.tif 000013
【図１２】
2005328305.tif 000014
【図１３】
2005328305.tif 000015
【図１４】
2005328305.tif 000016